(57)【特許請求の範囲】
【請求項１】
銃の消炎制退器に側方から対向した状態にして前記銃に外付けされ、前記消炎制退器からの銃弾発射ガス圧を受けて歪む受圧部材と、
前記受圧部材に固定された歪みセンサを有して、前記銃弾発射ガス圧による前記受圧部材の歪みを検出する歪み検出部と、
前記歪み検出部の出力波を発射弾数として計数する計数部とを備えたことを特徴とする発射弾数計数装置。
【請求項２】
前記歪みセンサは、前記受圧部材のうち前記消炎制退器と反対側を向いた面に配置されたことを特徴とする請求項１に記載の発射弾数計数装置。
【請求項３】
前記銃身に固定されかつ前記銃身から側方に突出したブラケットを備え、
前記受圧部材は、前記ブラケットから延びた片持ち梁構造をなし、
前記歪みセンサは前記受圧部材のうちの前記銃弾発射ガス圧を受ける位置より基端側に配置されたことを特徴とする請求項１又は２に記載の発射弾数計数装置。
【請求項４】
前記銃に銃剣を装着するための銃剣取付部を、前記ブラケットに兼用したことを特徴とする請求項３に記載の発射弾数計数装置。
【請求項５】
前記計数部を前記ブラケットに固定したことを特徴とする請求項３又は４に記載の発射弾数計数装置。
【請求項６】
前記受圧部材は、板部の両端に円柱部を有した構造とされ、
前記両円柱部に嵌合して前記板部を側方から覆った円筒状のカバーを設けたことを特徴とする請求項１乃至５の何れかに記載の発射弾数計数装置。
【請求項７】
前記受圧部材には、前記消炎制退器の側面に開放したガス排出孔と同軸上にピン孔が形成され、前記ガス排出孔と前記ピン孔とに共通して挿入される位置決めピンを備えたことを特徴とする請求項１乃至６の何れかに記載の発射弾数計数装置。
【請求項８】
前記計数部は、前記歪み検出部の出力波のうち所定の基準値以上の出力波のみを発射弾数として計数することを特徴とする請求項１乃至７の何れかに記載の発射弾数計数装置。
【請求項９】
前記計数部による計数結果をライン出力又は無線出力可能なデータ出力部を設けたことを特徴とする請求項１乃至８の何れかに記載の発射弾数計数装置。
【請求項１０】
前記データ出力部は、前記計数結果と共に、発射弾数計数装置同士を識別するための識別データを出力するように構成されたことを特徴とする請求項９に記載の発射弾数計数装置。
【請求項１１】
前記データ出力部に接続されて前記計数結果を表示する表示部を備えたことを特徴とする請求項９又は１０に記載の発射弾数計数装置。
【請求項１２】
前記請求項１乃至１１の何れかに記載の複数の発射弾数計数装置と、それら複数の発射弾数計数装置から前記計数結果を取得して集計するデータ集計装置とを備えてなる使用銃弾数集計システム。
【発明の詳細な説明】
【技術分野】
【０００１】
本発明は、銃弾発射ガス圧を利用して発射弾数を計数する発射弾数計数装置及び複数の銃で使用した弾数を集計可能な使用銃弾数集計システムに関する。
【背景技術】
【０００２】
ガス圧作動による自動装填式小銃は、銃身にシリンダーを併設して備え、銃身からシリンダーに取り込んだ発射ガス圧により、銃弾打撃部を打撃可能位置に復帰させる構造になっている。そして、従来の発射弾数計数装置では、シリンダー内に螺合装着される規制子に歪みセンサを取り付け、その歪みセンサによる検出結果に基づいて発射弾数を計数していた（例えば、特許文献１参照）。
【特許文献１】特開２００５−２２６８４３号公報（段落［０００９］、［００１０］、第１図）
【発明の開示】
【発明が解決しようとする課題】
【０００３】
しかしながら、上記した従来の構造では、自動装填式以外の銃の発射弾数を計数することができない。また、規制子のうちシリンダー内に収まる部分に歪みセンサを取り付ける必要があるので、歪みセンサの取り付け作業が困難であり、製造コストが高くなる。
【０００４】
本発明は、上記事情に鑑みてなされたもので、自動装填式以外の銃の発射弾数も計数することができると共に、低コストで製造可能な発射弾数計数装置及び使用銃弾数集計システムの提供を目的とする。
【課題を解決するための手段】
【０００５】
上記目的を達成するためになされた請求項１の発明に係る発射弾数計数装置は、銃の消炎制退器に側方から対向した状態にして銃に外付けされ、消炎制退器からの銃弾発射ガス圧を受けて歪む受圧部材と、受圧部材に固定された歪みセンサを有して、銃弾発射ガス圧による受圧部材の歪みを検出する歪み検出部と、歪み検出部の出力波を発射弾数として計数する計数部とを備えたところに特徴を有する。
【０００６】
請求項２の発明は、請求項１に記載の発射弾数計数装置において、歪みセンサは、受圧部材のうち消炎制退器と反対側を向いた面に配置されたところに特徴を有する。
【０００７】
請求項３の発明は、請求項１又は２に記載の発射弾数計数装置において、銃身に固定されかつ銃身から側方に突出したブラケットを備え、受圧部材は、ブラケットから延びた片持ち梁構造をなし、歪みセンサは受圧部材のうちの銃弾発射ガス圧を受ける位置より基端側に配置されたところに特徴を有する。
【０００８】
請求項４の発明は、請求項３に記載の発射弾数計数装置において、銃に銃剣を装着するための銃剣取付部を、ブラケットに兼用したところに特徴を有する。
【０００９】
請求項５の発明は、請求項３又は４に記載の発射弾数計数装置において、計数部をブラケットに固定したところに特徴を有する。
【００１０】
請求項６の発明は、請求項１乃至５の何れかに記載の発射弾数計数装置において、受圧部材は、板部の両端に円柱部を有した構造とされ、両円柱部に嵌合して板部を側方から覆った円筒状のカバーを設けたところに特徴を有する。
【００１１】
請求項７の発明は、請求項１乃至６の何れかに記載の発射弾数計数装置において、受圧部材には、消炎制退器の側面に開放したガス排出孔と同軸上にピン孔が形成され、ガス排出孔とピン孔とに共通して挿入される位置決めピンを備えたところに特徴を有する。
【００１２】
請求項８の発明は、請求項１乃至７の何れかに記載の発射弾数計数装置において、計数部は、歪み検出部の出力波のうち所定の基準値以上の出力波のみを発射弾数として計数するところに特徴を有する。
【００１３】
請求項９の発明は、請求項１乃至８の何れかに記載の発射弾数計数装置において、計数部による計数結果をライン出力又は無線出力可能なデータ出力部を設けたところに特徴を有する。
【００１４】
請求項１０の発明は、請求項９に記載の発射弾数計数装置において、データ出力部は、計数結果と共に、発射弾数計数装置同士を識別するための識別データを出力するように構成されたところに特徴を有する。
【００１５】
請求項１１の発明は、請求項９又は１０に記載の発射弾数計数装置において、データ出力部に接続されて計数結果を表示する表示部を備えたところに特徴を有する。
【００１６】
請求項１２の発明に係る使用銃弾数集計システムは、請求項１乃至１１の何れかに記載の複数の発射弾数計数装置と、それら複数の発射弾数計数装置から計数結果を取得して集計するデータ集計装置とを備えてなるところに特徴を有する。
【発明の効果】
【００１７】
［請求項１の発明］
請求項１の構成によれば、銃弾を発射する度に消炎制退器から側方に銃弾発射ガスが排出され、その銃弾発射ガスの圧力を受けて受圧部材が歪む。このとき、受圧部材の歪みが歪みセンサにより検出され、歪み検出部の出力が波形になり、計数部は、この歪み検出部の出力波を発射弾数として計数する。このように本発明によれば、消炎制退器を備えた銃であれば、自動装填式以外の銃の発射弾数も計数することができる。また、銃に外付けされた受圧部材に歪みセンサを取り付けたので、その取り付け作業が従来より容易になり、製造コストを抑えることができると共に、従来よりセンサへの熱の影響を抑えて信頼性を向上させることできる。
【００１８】
［請求項２の発明］
請求項２の構成によれば、歪みセンサは、受圧部材のうち消炎制退器と反対側を向いた面に固定されているから、銃弾発射ガスによる歪みセンサへの熱の影響が一層低減される。
【００１９】
［請求項３の発明］
請求項３の構成によれば、受圧部材が片持ち梁構造になっているので、銃弾発射ガス圧を受けると、その銃弾発射ガス圧を受けた位置より基端側が曲がって歪む。そして、歪みセンサは、受圧部材のうちの銃弾発射ガス圧を受ける位置より基端側に配置されているので銃弾発射ガス圧による受圧部材の歪みを確実に検出することができる。
【００２０】
［請求項４の発明］
請求項４の構成によれば、銃に銃剣を装着するための銃剣取付部を、ブラケットに兼用したから別途ブラケットを設けた場合に比べて製造コストを抑えることができる。
【００２１】
［請求項５の発明］
請求項５の構成によれば、受圧部材が固定されたブラケットに計数部も固定したので、発射弾数計数装置がコンパクトな構成になる。
【００２２】
［請求項６の発明］
請求項６の構成によれば、歪みセンサをカバーで覆って保護することができる。
【００２３】
［請求項７の発明］
請求項７の構成によれば、銃に受圧部材を取り付ける際に、位置決めピンを消炎制退器のガス排出孔と受圧部材のピン孔とに挿通させて容易に位置決めすることができると共に、取り付け位置のばらつきを防ぐことができる。
【００２４】
［請求項８の発明］
請求項８の構成によれば、計数部は、歪み検出部の出力波のうち所定の基準値以上の出力波のみを発射弾数として計数するので、受圧部材に障害物が衝突したことによる誤検出を防ぐことができる。
【００２５】
［請求項９の発明］
請求項９の構成によれば、計数部による計数結果をデータ出力部から出力して外部の機器に取り込み、銃弾数の管理を行うことができる。
【００２６】
［請求項１０の発明］
請求項１０の構成によれば、データ出力部が出力した識別データにより発射弾数計数装置同士を識別して、各銃毎の発射弾数を知ることができる。
【００２７】
［請求項１１の発明］
請求項１１の構成によれば、表示部の表示を見て発射弾数を知ることができる。
【００２８】
［請求項１２の発明］
請求項１２の構成によれば、複数の銃の発射弾数の計数結果を、データ集計装置に取り込んで集計するので、銃弾の管理が容易になる。
【発明を実施するための最良の形態】
【００２９】
以下、本発明の一実施形態を図１〜図４に基づいて説明する。
図１には、本実施形態の発射弾数計数装置２０を取り付けた銃１０の一例が示されている。この銃１０は、銃本体から円管状の銃身１１が露出して延び、その銃身１１の先端に消炎制退器１２を備えている。図２に示すように、消炎制退器１２には、複数のガス排出孔１３が軸方向に並べて形成されている。各ガス排出孔１３は消炎制退器１２の横方向に貫通している。また、消炎制退器１２の先端寄り位置に配置されたガス排出孔１３は、消炎制退器１２の軸方向に延びた長円形をなし、基端寄り位置に配置された２つのガス排出孔１３は、共に消炎制退器１２の周方向に延びた長円形になっている。
【００３０】
本発明に係る発射弾数計数装置２０は、銃身１１のうち消炎制退器１２寄り位置に取り付けられている。そのために発射弾数計数装置２０には銃身１１に外付け可能なブラケット２１が設けられている。このブラケット２１は、銃身１１と直交する方向に延びかつ上下方向で対向した１対の角柱部材２２，２２からなる。これら角柱部材２２，２２の長手方向の一端部には、互いの対向面に銃身収容溝２２Ａ，２２Ａが形成されている。そして、銃身収容溝２２Ａ，２２Ａを銃身１１に側方から宛がって角柱部材２２，２２同士をボルトで締め付け、これにより銃身１１にブラケット２１が固定されている。
【００３１】
ブラケット２１の長手方向の他端部には、受圧部材２３が挟持されている。受圧部材２３は、板部２４の両端部に円柱部２５，２６を備えた構造をなしている。この板部２４は、例えば、円柱鋼材の軸方向の中間部分を切削加工してなり、円柱部２５，２６は、板部２４の両端に残された円柱鋼材の一部により構成されている。そして、一方の円柱部２５（以下、「基端側円柱部２５」という）が、ブラケット２１の角柱部材２２，２２の対向面に形成された受圧部材収容溝２２Ｂ，２２Ｂに収容されてブラケット２１に挟持されている。これにより、受圧部材２３が、銃身１１と平行な片持ち梁状になってブラケット２１から前方に延びている。なお、基端側円柱部２５の一部は、ブラケット２１から前方に突出しており、後述するカバー５０がここに嵌合する。
【００３２】
受圧部材２３における他方の円柱部２６（以下、「先端側円柱部２６」という）は、消炎制退器１２における一番基端側のガス排出孔１３と対向している。また、板部２４は、その平坦面の法線が銃身１１の軸心と直交した状態になっている。ここで、受圧部材２３を消炎制退器１２に対して位置合わせするために、受圧部材２３の先端側円柱部２６には、板部２４における平坦面の法線と平行な方向にピン孔２６Ａが貫通形成され、かつ、位置合わせ用に特殊な位置決めピン１５が設けられている。この位置決めピン１５は、一端側がピン孔２６Ａに対応した小径部１５Ａをなし、他端側がガス排出孔１３に対応した大径部１５Ｂをなしている。そして、大径部１５Ｂを消炎制退器１２のガス排出孔１３に挿通させた状態で、小径部１５Ａを受圧部材２３のピン孔２６Ａに挿通させることで、受圧部材２３を消炎制退器１２に対する正規の取り付け位置に容易に位置決めすることができる（図３参照）。
【００３３】
図２に示すように受圧部材２３の板部２４には、消炎制退器１２と反対側を向いた平坦面に、本発明の「歪みセンサ」に相当する歪みゲージ２７Ａが４つ固定されている。これら歪みゲージ２７Ａは、板部２４の長手方向における同一位置に横並びに配置されている。このように、本実施形態では、銃１０に外付けした受圧部材２３の外面に歪みゲージ２７Ａを取り付けたので、その取り付け作業が従来より容易になり、製造コストが抑えられる。
【００３４】
基端側円柱部２５の外周面には、消炎制退器１２と反対側を向いた部分に電線収容溝２５Ａが形成されている。電線収容溝２５Ａは、基端側円柱部２５の軸方向に延び、ここに歪みゲージ２７Ａの電線が収容されて次述するデータ処理部２８内に導入されている。また、板部２４には、歪みセンサ２７Ａを覆うように図示しない樹脂がモールドされ、さらに、その外側がカバー５０で覆われている。カバー５０は、円筒状をなしてその両端部が基端側円柱部２５及び先端側円柱部２６に嵌合され、板部２４の全体を覆っている。
【００３５】
ブラケット２１の後端面には、データ処理部２８が取り付けられている。データ処理部２８は、図３に示すようにケース２９の内部にボタン電池３０、回路基板３１等を収容してなる。ケース２９は円筒体の一端からは側方にフランジ２９Ｆを張り出した構造になっており、受圧部材２３の同心上に配置され、フランジ２９Ｆに貫通した螺子にてブラケット２１に固定されている。
【００３６】
図４に示すように回路基板３１には、ゲージ接続回路３２、アンプ３３、整流回路３４、コンパレータ３５及びマイコン３６が実装されている。ゲージ接続回路３２には、４つの歪みゲージ２７Ａがブリッジ接続され、これらゲージ接続回路３２と歪みゲージ２７Ａとにより本発明に係る歪み検出部２７が構成されている。そして、受圧部材２３の歪みに応じて歪みゲージ２７Ａの抵抗値が変化すると、ゲージ接続回路３２の出力電圧が変化し、これが歪み検出部２７の出力波として、アンプ３３及び整流回路３４を通してコンパレータ３５に取り込まれる。コンパレータ３５では、歪み検出部２７の出力波のレベルを所定の基準値と比較する。そして、歪み検出部２７の出力波のレベルが所定の基準値以上であった場合にコンパレータ３５の出力がＨレベルになり、そうでなかった場合にはコンパレータ３５の出力がＬレベルになる。ここで、上記した所定の基準値は、銃弾発射ガス圧を受けて受圧部材２３が歪んだときの歪み検出部２７の出力波を実測して求め、銃弾発射ガス圧を要因とした歪み検出部２７の出力波が所定の基準値を確実に超えかつそれ以外の要因による歪み検出部２７の出力波が所定の基準値を超えないように設定されている。
【００３７】
整流回路３４の出力は、マイコン３６に取り込まれている。このマイコン３６は、ＣＰＵ，ＲＡＭ，ＲＯＭをパッケージしてなり、ＲＯＭに記憶した信号処理プログラムを実行して、コンパレータ３５の出力がＬレベルからＨレベルに反転する度にカウンタをインクリメントする。これにより、歪み検出部２７の出力波のうち所定の基準値以上の出力波を発射弾数として計数する。本実施形態では、これらコンパレータ３５及びマイコン３６により本発明に係る計数部３７が構成されている。
【００３８】
マイコン３６には、本発明の「データ出力部」に相当する無線回路３８が備えられている。この無線回路３８を通してマイコン３６が、ＲＯＭに記憶した識別データと共にカウンタの値（即ち、発射弾数の計数結果）を無線出力する。そして、この無線回路３８に、図４に示したデータ集計装置４０が無線接続可能になっている。なお、本実施形態の発射弾数計数装置２０は、外部機器と無線で通信する構成としたことでコネクタが不要になり、防水、防塵が容易になる。
【００３９】
データ集計装置４０は、発射弾数計数装置２０と同様に、ＣＰＵ，ＲＡＭ，ＲＯＭをパッケージしてなるマイコン４１と無線回路４２とを備えると共に、表示部４３、データ読込スイッチＳＷ１及びリセットスイッチＳＷ２を備えている。そして、データ読込スイッチＳＷ１を操作すると、マイコン４１がＲＯＭに記憶したデータ読込プログラムを実行し、各発射弾数計数装置２０に向けてデータ出力指令を無線出力する。すると、各発射弾数計数装置２０のマイコン３６がＲＯＭに記憶した識別データと共にカウンタの値（即ち、発射弾数の計数結果）を無線出力し、これをデータ集計装置４０が無線受信する。また、リセットスイッチＳＷ２を操作すると、マイコン４１がＲＯＭに記憶したリセットプログラムを実行し、各発射弾数計数装置２０に向けてデータリセット指令を無線出力する。すると、各発射弾数計数装置２０のマイコン３６がカウンタの値を０にリセットする。ここで、複数の発射弾数計数装置２０に対してデータ集計装置４０は１台設けられ、これら発射弾数計数装置２０とデータ集計装置４０とから本発明に係る使用銃弾数集計システム４４が構成されている。また、データ集計装置４０にはパソコン４５が接続され、このパソコン４５にも各発射弾数計数装置２０からのデータがデータ集計装置４０を経由して取り込まれている。
【００４０】
次に、上記構成からなる本実施形態の動作を説明する。複数の銃１０を用いて射撃演習を行う場合には、各銃１０に発射弾数計数装置２０を取り付ける。このとき、データ集計装置４０のリセットスイッチＳＷ２を操作して各発射弾数計数装置２０のカウンタを「０」にリセットしておく。
【００４１】
射撃練習中に各銃１０で銃弾を発射する度に、消炎制退器１２のガス排出孔１３から側方に銃弾発射ガスが排出され、その銃弾発射ガスの圧力を受けて受圧部材２３が歪む。このとき、受圧部材２３の歪みが歪みセンサ２７Ａにより検出され、歪み検出部２７の出力が波形になり、計数部３７が、この歪み検出部２７の出力波を発射弾数として計数する。このように、本実施形態の発射弾数計数装置２０によれば、消炎制退器１２を備えた銃１０であれば、自動装填式以外の銃１０の発射弾数も計数することができる。また、演習中に受圧部材２３は、防護壁や地面等に当接した場合にも歪む。しかしながら、この場合の歪み検出部２７の出力波は基準値を超えず、この出力波を発射弾数として計数することはない。さらに、歪みゲージ２７Ａは、銃身１１及び消炎制退器１２から離れた受圧部材２３に取り付けられ、しかも、消炎制退器１２と反対側を向いた面に配置されているから、発砲により銃１０が発熱しても、歪みゲージ２７Ａへの熱の影響が抑えられる。これにより、発射弾数計数装置２０の信頼性（耐久性）が向上し、何度も繰り返して用いることができる。また、発射弾数計数装置２０は消炎制退器１２の外部で消炎制退器１２から排出された銃弾発射ガスを受けるので、消炎制退器１２の機能を妨げることもない。
【００４２】
射撃演習が終了したら、各銃１０と共に発射弾数計数装置２０をデータ集計装置４０の近傍に集める。そして、データ読込スイッチＳＷ１を操作して各発射弾数計数装置２０の識別データとカウンタの値（即ち、発射弾数の計数結果）とをデータ集計装置４０に取り込む。すると、データ集計装置４０のマイコン４１が、表示部４３において各発射弾数計数装置２０毎の発射弾数を表示すると共に、全ての発射弾数計数装置２０の発射弾数を加算した総発射弾数も表示する。これにより、射撃演習で使用した銃弾の数を容易に知ることができ、銃弾の管理が容易になる。また、データ集計装置４０が複数の発射弾数計数装置２０から取得したデータをパソコン４５にも取り込んでより詳細な管理を行うことができる。また、発射弾数計数装置２０のカウンタのリセット等をデータ集計装置４０の操作にて行い、発射弾数計数装置２０には操作部が備えられていないので、信用度が高い計数データを取得することができ、銃弾の管理が容易になる。
【００４３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４４】
（１）前記実施形態では、受圧部材２３専用のブラケット２１を銃身１１に取り付けていたが、銃１０に銃剣を装着するための銃剣取付部６０（図３参照）に受圧部材を取り付ける構成にしてもよい。
【００４５】
（２）前記実施形態の受圧部材２３は、片持ち梁構造であったが、受圧部材を両持ち梁構造にしてもよい。
【００４６】
（３）前記実施形態の発射弾数計数装置２０のうちデータ処理部２８の外面に計数結果を表示するための表示部を設けてもよい。
【００４７】
（４）前記実施形態では、各発射弾数計数装置２０をデータ集計装置４０に無線接続する構成であったが、ＵＳＢケーブル等でライン接続する構成にしてもよい。
【００４８】
（５）本発明に係るデータ集計装置は、例えば無線モジュール、赤外線通信モジュール等を備えたパソコンで構成してもよい。そのパソコンに各発射弾数計数装置の識別データと各銃の使用者とを関連づけたデータベースを備えておき、各銃の使用者名と発射弾数とを対応させて表示してもよい。また、射撃演習前に各銃毎に支給した銃弾数を予めデータ集計装置に入力してデータベースに反映させておき、射撃演習終了後に各銃の発射弾数計数装置から計数結果を取り込むと共に未使用の銃弾を受け取り、その数をデータ集計装置に入力することで銃弾の管理を行ってもよい。
【００４９】
（６）前記実施形態では、本発明に係る歪みセンサとして、歪みゲージ２７Ａが備えられていたが、例えばピエゾ素子を歪みセンサとして備えてもよい。
【図面の簡単な説明】
【００５０】
【図１】本発明の一実施形態に係る銃の側面図
【図２】銃身に取り付けられた発射弾数計数装置の斜視図
【図３】その平面図
【図４】計数部の構成を示したブロック図
【符号の説明】
【００５１】
１０    銃
１１    銃身
１２    消炎制退器
１３    ガス排出孔
１５    位置決めピン
２０    発射弾数計数装置
２１    ブラケット
２３    受圧部材
２４    板部
２５，２６    円柱部
２６Ａ    ピン孔
２７    歪み検出部
２７Ａ  歪みゲージ（歪みセンサ）
３７    計数部
３８    無線回路（データ出力部）
４０    データ集計装置
４２    無線回路
４３    表示部
４４    使用銃弾数集計システム
５０    カバー
【図１】
0004591965.tif 000002
【図２】
0004591965.tif 000003
【図３】
0004591965.tif 000004
【図４】
0004591965.tif 000005